(57)【要約】【課題】作業時間を短縮して、事務処理等の業務の効率化を図ることが可能な画像形成装置を提供。【解決手段】画像形成装置１００は、印刷開始の指示を受付けると（ステップＳ１０２０においてＹＥＳ）、印刷する画像に付加する数値を設定する。その際、印刷開始の指示を受付ける度に数値を１ずつ増加し、増加した数値を当該画像に付加する数値として設定する（ステップＳ１０５０）。数値を設定すると、その数値を印刷開始の指示がされた画像に合成する（ステップＳ１０６０）。そして、数値を合成した画像を用紙に印刷する（ステップＳ１０７０）。【選択図】図３
2013225022.tif 000002
【特許請求の範囲】
【請求項１】
印刷開始の指示を受付けるための受付手段と、
印刷する画像に付加する数値を設定するための数値設定手段と、
前記数値設定手段により設定された数値を、印刷開始の指示がされた画像に合成するための合成手段と、
前記合成手段によって合成した画像を用紙に印刷するための印刷手段とを含み、
前記数値設定手段は、印刷開始の指示を受付ける度に所定の数値を１ずつ増加し、増加した数値を当該画像に付加する数値として設定するための数値増加手段を含む、画像形成装置。
【請求項２】
利用者の操作によって設定される所定の固定値の入力を受付け、前記数値設定手段により設定される数値を前記固定値とするための手段をさらに含む、請求項１に記載の画像形成装置。
【請求項３】
前記画像形成装置は、印刷開始の指示を受付ける度に数値を１ずつ増加し、増加した数値を画像に付加する数値として設定するための第１のモードと、利用者の操作によって設定される所定の固定値の入力を受付け、当該固定値を画像に付加する数値として設定するための第２のモードとを切替えて数値を設定することが可能であり、
前記第２のモードから前記第１のモードに切替えられたことに応答して、前記第２のモードで設定した所定の固定値を、前記第１のモードにおいて数値を増加する際の初期値として設定するための手段をさらに含む、請求項２に記載の画像形成装置。
【請求項４】
前記画像形成装置は、情報処理装置から送信される印刷データを受信するための受信手段をさらに含み、
前記受付手段は、前記情報処理装置からの印刷開始の指示を受付けるための手段を含み、
前記合成手段は、前記数値設定手段により設定された数値を前記印刷データによって示される画像に合成するための手段を含む、請求項１に記載の画像形成装置。
【請求項５】
前記画像形成装置は、
原稿画像を読取るための画像読取装置と、
前記画像読取装置に原稿を送るための原稿送り装置とをさらに含み、
前記数値増加手段は、前記画像読取装置で読取られた画像が、前記原稿送り装置によって送られた原稿の画像であるか否かを判定し、判定結果に応じて、異なる数値を１ずつ増加するための手段を含む、請求項１に記載の画像形成装置。
【請求項６】
前記画像形成装置は、
原稿画像を読取るための画像読取装置と、
前記画像読取装置で画像を読取る原稿、及び、画像を印刷する用紙の少なくとも一方に対してその用紙の種類を検出するための用紙検出手段とをさらに含み、
前記数値増加手段は、前記用紙検出手段の検出結果に応じて、異なる数値を１ずつ増加するための手段を含む、請求項１に記載の画像形成装置。
【発明の詳細な説明】
【技術分野】
【０００１】
本発明は、画像形成装置に関し、特に、補助的な画像を付加して画像を形成する画像形成装置に関する。
【背景技術】
【０００２】
画像形成装置は主に原稿を複製したり、ＰＣ（Ｐｅｒｓｏｎａｌ  Ｃｏｍｐｕｔｅｒ）上のデータを印刷して保存又は配布したりすることで、事務処理を正確かつ効率的に行なうためにオフィス等に普及している。一方、実際の業務の現場では様々な業務上の課題がありそのための解決方法が望まれている。例えばそれはスピーディな顧客対応であったり、効率的な文書管理であったりする。
【０００３】
ところで、複写機等の画像形成装置には、原稿画像とは別の画像を用紙に印字する機能を備えたものが知られている。後掲の特許文献１は、そうした機能を備えた画像形成装置を開示する。特許文献１の画像形成装置は、原稿画像にページ番号、セット番号、及び、日付等の補助的画像を付加して画像を形成する。特許文献１の画像形成装置を用いれば、コピー作業と番号札の発行とを同時に行なうことも可能である。
【先行技術文献】
【特許文献】
【０００４】
【特許文献１】特開２００３−２７１０１１号公報
【発明の概要】
【発明が解決しようとする課題】
【０００５】
しかし、特許文献１の画像形成装置では補助的画像を付加する際に番号を設定する必要があるため、依然として作業時間が必要となり作業の効率化は十分ではない。
【０００６】
本発明は、上記のような課題を解決するためになされたものであり、本発明の１つの目的は、作業時間を短縮して、事務処理等の業務の効率化を図ることが可能な画像形成装置を提供することである。
【課題を解決するための手段】
【０００７】
上記目的を達成するために、本発明の一の局面に係る画像形成装置は、印刷開始の指示を受付けるための受付手段と、印刷する画像に付加する数値を設定するための数値設定手段と、数値設定手段により設定された数値を、印刷開始の指示がされた画像に合成するための合成手段と、合成手段によって合成した画像を用紙に印刷するための印刷手段とを含む。数値設定手段は、印刷開始の指示を受付ける度に所定の数値を１ずつ増加し、増加した数値を当該画像に付加する数値として設定するための数値増加手段を含む。
【０００８】
画像形成装置は、印刷開始の指示を受付ける度に数値を１ずつ増加し、その数値（番号）を印刷開始の指示がされた画像に合成する。利用者によって印刷開始の指示が行なわれる度に１ずつ増加された番号が、画像（印刷物）に付加されるため、画像に付加される番号は連続番号（以下「連番」と記す。）となる。付加する番号が連番となるように設定しなおす必要がないため、その分、作業時間を短縮できる。これにより、事務処理等の業務の効率化を十分に図ることができる。
【０００９】
好ましくは、数値増加手段は、所定の初期値から、印刷開始の指示を受付ける度に数値を１ずつ増加するための手段を含み、画像形成装置はさらに、増加した数値を、所定の時間毎に初期値に戻すための初期化手段を含む。これにより、容易に、コピー作業と番号札の発行とを同時に行なうことができる。
【００１０】
より好ましくは、画像形成装置は、利用者の操作によって設定される所定の固定値の入力を受付け、数値設定手段により設定される数値を固定値とするための手段をさらに含む。印刷開始の指示が行なわれる度に１ずつ増加された数値を画像に付加する場合、コピーミス等の印刷ミスが生じることによって再度印刷をやり直すと、印刷物（画像）に付加する番号が連番とならない。そのような場合に、利用者の操作によって設定される固定値を、印刷する画像に付加する数値として設定することによって、印刷物に付加する番号が連番となるように容易に修正できる。
【００１１】
さらに好ましくは、画像形成装置は、印刷開始の指示を受付ける度に数値を１ずつ増加し、増加した数値を画像に付加する数値として設定するための第１のモードと、利用者の操作によって設定される所定の固定値の入力を受付け、当該固定値を画像に付加する数値として設定するための第２のモードとを切替えて数値を設定することが可能であり、第２のモードから第１のモードに切替えられたことに応答して、第２のモードで設定した所定の固定値を、第１のモードにおいて数値を増加する際の初期値として設定するための手段をさらに含む。
【００１２】
コピーミス等の印刷ミスによって再度印刷をやり直した場合に、付加される番号が連番となるように、第２のモードに切替えて、利用者の操作によって設定される固定値を印刷する画像に付加する数値として設定する。第２のモードから第１のモードに切替えたときに、この数値が、数値を増加する際の初期値として設定される。第１のモードでは、この数値から引続き数値が増加されるため、より容易に、印刷物に連番を付加できる。
【００１３】
さらに好ましくは、画像形成装置は、利用者によって指示される所望の文字列を入力するための文字列入力手段をさらに含み、合成手段は、文字列入力手段によって入力された所望の文字列を、設定された数値とともに、印刷開始の指示がされた画像に合成するための手段を含む。
【００１４】
所望の文字列を、設定された数値とともに画像に合成することにより、印刷物には番号とともに文字列も付加される。これにより、文書等の管理及び整理が一層容易になる。さらに、例えば、印刷物に付加される番号が何を意味しているのかを示すこともできる。
【００１５】
さらに好ましくは、画像形成装置は、情報処理装置から送信される印刷データを受信するための受信手段をさらに含み、受付手段は、情報処理装置からの印刷開始の指示を受付けるための手段を含み、合成手段は、数値設定手段により設定された数値を印刷データによって示される画像に合成するための手段を含む。
【００１６】
このように、情報処理装置からの印刷開始の指示を受付けた場合でも、当該印刷開始の指示を受付ける度に数値を１ずつ増加し、その数値を印刷データによって示される画像に付加できる。
【００１７】
さらに好ましくは、画像形成装置は、原稿画像を読取るための画像読取装置と、画像読取装置に原稿を送るための原稿送り装置とをさらに含み、数値増加手段は、画像読取装置で読取られた画像が、原稿送り装置によって送られた原稿の画像であるか否かを判定し、判定結果に応じて、異なる数値を１ずつ増加するための手段を含む。これにより、原稿送り装置を用いる場合と用いない場合とで、異なる連番を印刷物に付加できる。
【００１８】
さらに好ましくは、画像形成装置は、原稿画像を読取るための画像読取装置と、画像読取装置で画像を読取る原稿、及び、画像を印刷する用紙の少なくとも一方に対してその用紙の種類を検出するための用紙検出手段とをさらに含み、数値増加手段は、用紙検出手段の検出結果に応じて、異なる数値を１ずつ増加するための手段を含む。
【００１９】
複数の取引先がある場合、取引先によって例えば請求書（原稿）のサイズ（用紙種類）が異なる場合がある。そのような場合、本画像形成装置では、請求書及び発注書等のサイズを検出し、その検出結果に応じて、増加する数値を異なる数値に切替えることができる。これにより、容易に、取引先等に応じた連番をコピー（複写物）に付加できる。
【００２０】
請求書及び取引先への発注書等をファイルするためにこれらをコピーする場合、例えば業種ごとに用紙種類（例えば用紙の色等）を切替えて控えをとることもある。そのような場合、本画像形成装置では、印刷する用紙の用紙種類に応じて、増加する数値を異なる数値に切替えることができる。そのため、これによっても、容易に、取引先等に応じた連番をコピー（複写物）に付加できる。
【００２１】
さらに好ましくは、利用者によって指示される所望の文字列を入力するための文字列入力手段をさらに含み、合成手段は、用紙検出手段の検出結果に応じて、異なる文字列を、設定された数値とともに、印刷開始の指示がされた画像に合成するための手段を含む。これにより、容易に、例えば取引先等に応じた文字列をコピー（複写物）に付加できる。
【発明の効果】
【００２２】
以上より、本発明によれば、作業時間を短縮して、事務処理等の業務の効率化を図ることが可能な画像形成装置を容易に得ることができる。
【００２３】
さらに本発明によれば、例えば以下の事例に示すような業務上の課題解決に好適な画像形成装置を提供できる。
【００２４】
例えば、店頭での顧客サービスを行なう場合に、顧客に番号札を渡して順番待ちの整理を行なう手法がある。この手法では、番号札を使いまわしたり、発券機等で番号札を発行する場合は番号札を印刷する作業が生じたりするため、店舗のスタッフ及び顧客のいずれか又は双方はその作業等に時間が取られてしまい煩わしい思いをする。例えば病院及び薬局等における作業では、顧客受付け時に処方箋を顧客の控えのためにコピー（複写）するという作業がある。この作業に着目して、本発明の画像形成装置ではコピー作業と番号札の発行とを同時に素早く行なうことができ、スピーディな顧客対応が可能となる。
【００２５】
また、例えば、複数の取引先からの請求書及び取引先への発注書等をファイルするためにこれらをコピー（複写）する業務がある。このような場合、請求書及び発注書等のコピー（複写物）に連番を付加することによって文書管理が容易になる。本画像形成装置では、請求書及び発注書等のコピーに容易に連番を付加できるため、事務処理の作業効率を容易に向上できる。
【図面の簡単な説明】
【００２６】
【図１】本発明の第１の実施の形態に係る画像形成装置のハードウェア構成を示す制御ブロック図である。
【図２】図１の画像形成装置の操作表示部に表示される画面例（コピー条件設定画面例）を示す図である。
【図３】図１の画像形成装置で実行されるプログラムの制御構造を示すフローチャートである。
【図４】図３のステップＳ１０１０の詳細なフローである。
【図５】図３のステップＳ１０１０の詳細なフローである。
【図６】図１の画像形成装置の操作表示部に表示される画面例（連番設定画面例）を示す図である。
【図７】図１の画像形成装置の操作表示部に表示される画面例（連番設定画面例（「自動」設定時））を示す図である。
【図８】図１の画像形成装置の操作表示部に表示される画面例（連番設定画面例（「手動」設定時））を示す図である。
【図９】図１の画像形成装置の操作表示部に表示される画面例（連番カウンタ設定画面例）を示す図である。
【図１０】図１の画像形成装置の操作表示部に表示される画面例（連番カウンタリセット画面例）を示す図である。
【図１１】図１の画像形成装置の操作表示部に表示される画面例（連番カウンタ変更画面例）を示す図である。
【図１２】図１の画像形成装置の操作表示部に表示される画面例（詳細設定画面例）を示す図である。
【図１３】図１の画像形成装置の操作表示部に表示される画面例（印字レイアウト表示画面例）を示す図である。
【図１４】第１の実施の形態の変形例に係る画像形成装置に接続されるクライアントＰＣのハードウェア構成を示す制御ブロック図である。
【図１５】図１４のクライアントＰＣで実行されるプログラムの制御構造を示すフローチャートである。
【図１６】第１の実施の形態の変形例に係る画像形成装置で実行されるプログラムの制御構造を示すフローチャートである。
【発明を実施するための形態】
【００２７】
以下の実施の形態では、同一の部品には同一の参照番号を付してある。それらの機能及び名称も同一である。したがって、それらについての詳細な説明は繰返さない。
【００２８】
（第１の実施の形態）
図１を参照して、本発明の第１の実施の形態に係る画像形成装置１００は、例えば、コピー機能及びプリンタ機能等を備えるＭＦＰ（Ｍｕｌｔｉｆｕｎｃｔｉｏｎ  Ｐｅｒｉｐｈｅｒａｌ：デジタル複合機）である。画像形成装置１００は、スキャナ等で読込まれた画像データ、又は、クライアントパーソナルコンピュータ（以下、「クライアントＰＣ」という）２００等の情報処理装置から伝送された画像データに基づいて、所定の用紙に対して多色の画像又は単色の画像を形成する。この画像形成装置１００は、レーザー光を露光に利用する、所謂レーザー方式（電子写真方式）の印刷機能を備える。しかし、他の形式の印刷機能を備えたものであってもよい。
【００２９】
本実施の形態に係る画像形成装置１００は、補助的な画像を付加して画像を形成する機能を有している。画像に付加する補助的な画像は数値（番号）を含む。画像形成装置１００はさらに、印刷開始の指示の回数を数える（カウントする）カウンタ機能を有している。画像形成装置１００は、利用者による印刷開始の指示を受付けると、印刷開始の指示の回数を所定の初期値からカウントし、そのカウント値（番号）を補助的な画像として印刷する画像に付加する。より詳しくは、画像形成装置１００は、利用者による印刷開始の指示を受付ける度に数値を１ずつ増加し（以下、「カウントアップ」と称する。）、カウントアップした数値（カウント値）を画像に付加して用紙に印刷する。そのため、印刷される画像（印刷物）に付加される数値は連番となる。したがって、本実施の形態では、印刷ジョブ毎に連続する番号が印刷物に付加される。
【００３０】
連番を画像に付加するか否かは、設定により切替えることができる。例えば、原稿のコピーの際にコピー画像（複写物）に連番を付加するか否かの設定は、図２に示すコピー条件設定画面３００を操作することにより行なう。コピー条件設定画面３００は、例えば、コピーモードが選択された場合に、後述する操作表示部１４４（タッチパネルディスプレイ）に表示される初期画面（図示せず。）を利用者が操作することによって、操作表示部１４４（タッチパネルディスプレイ）に表示される。
【００３１】
図２を参照して、コピー条件設定画面３００は、コピー条件を設定するための仮想的なボタンである、後処理ボタン３１０、倍率設定ボタン３２０、部数設定ボタン３３０、用紙選択ボタン３４０及び連番設定ボタン３５０を含む。後処理ボタン３１０は、画像が形成された用紙に対して、パンチ処理、ステープル処理等の各種後処理の設定を行なうためのボタンである。倍率設定ボタン３２０は、コピー倍率を設定するためのボタンである。部数設定ボタン３３０は、コピー部数を設定するためのボタンである。用紙選択ボタン３４０は、印刷する用紙を選択するためのボタンである。連番設定ボタン３５０は、連番の設定を行なうためのボタンである。連番設定ボタン３５０を操作すると、連番に関する各種設定を行なうことができる。コピー条件設定画面３００における連番設定ボタン３５０の右側の領域には、連番設定が行なわれているか否かを示す文字列が表示される。連番の設定が行なわれると、画像形成装置１００は「連番モード」になる。
【００３２】
［ハードウェア構成］
《画像形成装置》
図１を参照して、本実施の形態に係る画像形成装置１００は、主制御部１１０、システム制御部１１２、システムメモリ１１４、パラメータメモリ１１６、時計回路部１１８、給紙部１２０、スキャナ装置１３０、画像処理部１４０、画像形成部１４２、操作表示部１４４、及びネットワークインターフェイス（以下「ネットワークＩ／Ｆ」と記す。）１４６を含む。
【００３３】
主制御部１１０は、当該画像形成装置１００全体を統括して制御する。主制御部１１０は、実質的にコンピュータであって、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＨＤＤ（Ｈａｒｄ  Ｄｉｓｋ  Ｄｒｉｖｅ）を含む。ＣＰＵには、ＢＵＳライン１４８が接続されており、このＢＵＳライン１４８には、ＲＯＭ、ＲＡＭ及びＨＤＤが電気的に接続される。ＣＰＵは、操作表示部１４４等からの指示に応じて各種コンピュータプログラムを実行することによって、画像形成装置１００の各部の動作及びクライアントＰＣ２００等の情報処理装置との通信等の所望の処理を実行する。上記の各種コンピュータプログラムは、予めＲＯＭ又はＨＤＤに記憶されており、所望の処理の実行時において、当該ＲＯＭ又はＨＤＤから読出されてＲＡＭに転送される。ＣＰＵは、ＣＰＵ内の図示しないプログラムカウンタと呼ばれるレジスタに格納された値によって指定される、ＲＡＭ内のアドレスからプログラムの命令を読出し、解釈する。ＣＰＵはまた、読出された命令によって指定されるアドレスから演算に必要なデータを読出し、そのデータに対し命令に対応する演算を実行する。実行の結果も、ＲＡＭ、ＨＤＤ及びＣＰＵ内のレジスタ等の、命令によって指定されるアドレスに格納される。ＨＤＤには、画像形成装置１００の一般的な動作を実現するためのコンピュータプログラムが記憶される。
【００３４】
ＢＵＳライン１４８には、さらに、システム制御部１１２、システムメモリ１１４、パラメータメモリ１１６、時計回路部１１８、給紙部１２０、スキャナ装置１３０、画像処理部１４０、画像形成部１４２、操作表示部１４４、及びネットワークＩ／Ｆ１４６が電気的に接続される。
【００３５】
システム制御部１１２は、ＣＰＵを主体に構成されており、システムメモリ１１４内に格納された制御処理プログラム等に従い、本画像形成装置１００における所望の処理を実行する。システムメモリ１１４は、システム制御部１１２が実行する制御処理プログラム及び制御処理プログラムを実行するときに必要な各種データ等を記憶するとともに、システム制御部１１２のワークエリアを構成する。パラメータメモリ１１６は、この画像形成装置１００に固有な各種の情報等を記憶する。時計回路部１１８は現在時刻情報等を出力するものである。
【００３６】
スキャナ装置１３０は、原稿の画像情報を読取る画像読取部１３２と、画像読取部１３２に自動で原稿を搬送する自動原稿送り装置１３４とを含む。画像読取部１３２は、原稿検知センサ及びＣＣＤ（Ｃｈａｒｇｅ−Ｃｏｕｐｌｅｄ  Ｄｅｖｉｃｅ）ラインセンサ（以上いずれも図示せず。）を含む。原稿検知センサは、利用者によって手動で、又は、自動原稿送り装置１３４によって、原稿載置台（図示せず。）上に載置された原稿の画像表面に対し光源（図示せず。）から光りを照射することによって得られる反射光像をＣＣＤラインセンサ上に結像させる。ＣＣＤラインセンサは、結像された反射光像を順次光電変換して画像データとして画像処理部１４０に対して出力する。すなわち、画像読取部１３２は、原稿のコピー時又はスキャン時に、原稿載置台に載置される原稿から原稿検知センサによって画像情報を読取り、読取った画像情報をＣＣＤラインセンサによって電気信号に変換して画像データとして画像処理部１４０に対して出力する。
【００３７】
給紙部１２０は、複数枚の用紙が収容される用紙カセット（図示せず）と、用紙カセットに収容されている用紙のサイズを検出する検出部１２２を含む。この給紙部１２０は、用紙カセットに収容されている用紙を画像形成部１４２に対して給紙する。
【００３８】
画像処理部１４０は、ＭＰＵ（Ｍｉｃｒｏ  Ｐｒｏｃｅｓｓｉｎｇ  Ｕｎｉｔ、図示せず。）を含む。画像処理部１４０は、画像読取部１３２、又は、クライアントＰＣ２００等から受信した画像データに対して、例えば、ラスタライズ処理等の所定の画像処理を含む各種処理を施して所定の階調の印刷データを作成し、画像形成部１４２に対して出力する。
【００３９】
画像形成部１４２は、画像データによって示される画像を用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１４２には、例えば、搬送路が設けられており、給紙部１２０から給紙されてきた用紙が搬送路に沿って搬送される。給紙部１２０は、用紙カセットに収容された用紙、又は手差トレイに載置された用紙を１枚ずつ引出して用紙を画像形成部１４２の搬送路へと送り出す。画像形成部１４２の搬送路に沿って用紙が搬送されている途中で、用紙が感光体ドラムと転写装置との間を通過し、更に定着装置を通過して、用紙に対する印刷が行なわれる。
【００４０】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく用紙に感光体ドラムの表面のトナー像を転写する。
【００４１】
定着装置は、用紙を加熱するための加熱ローラと、用紙を加圧するための加圧ローラとを含む。用紙は、加熱ローラによって加熱され、かつ、加圧ローラによって加圧されることによって、用紙上に転写されたトナー像が用紙に定着される。定着装置から排出された（印刷された）用紙は、排紙トレイに排出される。
【００４２】
操作表示部１４４は、画像形成装置１００を操作するためのものである。操作表示部１４４は、タッチパネルディスプレイを含む。このタッチパネルディスプレイは、表示パネルと、タッチパネルとが重ねて構成されるタッチパネル一体型液晶表示装置である。表示パネルは、画像形成装置１００の状態及び各種処理の状態に関する情報等の各種情報を利用者に提供する。このタッチパネルディスプレイはまた、利用者に対して対話的な操作インターフェイスを提供する。この対話的な操作インターフェイスは、タッチパネルから画像形成装置１００全体の動作に対する利用者の指示を受付け、その指示の内容を表示パネルに表示するとともに、その指示に応じた制御信号を主制御部１１０、システム制御部１１２又は画像処理部１４０のＭＰＵに対して出力する。
【００４３】
ネットワークＩ／Ｆ１４６は、ネットワーク１５０とのインターフェイスをとる。画像形成装置１００は、このネットワークＩ／Ｆ１４６を介して、ネットワーク１５０上の情報処理装置等と、所定の通信プロトコルに従ったデータ通信を行なうことができる。画像形成装置１００は、ネットワークＩ／Ｆ１４６を介して、クライアントＰＣ２００等の情報処理装置から印刷ジョブ等の各種処理の実行を命令する命令信号を受信することができる。
【００４４】
［ソフトウェア構成］
図３を参照して、補助的な画像を付加して画像を形成する処理を行なうために、画像形成装置１００で実行されるコンピュータプログラムの制御構造について説明する。このプログラムは、コピーモードが選択されると起動する。
【００４５】
このプログラムは、利用者によって連番の設定を行なう操作がされたか否かを判定し、判定結果に応じて制御の流れを分岐させるステップＳ１０００を含む。ステップＳ１０００では、図２に示すコピー条件設定画面３００において、利用者によって連番設定ボタン３５０が操作（ＯＮ）されたか否かを判定する。連番設定ボタン３５０が操作された場合は、連番の設定を行なう操作がされたと判定され、連番設定ボタン３５０が操作されていない場合は、連番の設定を行なう操作がされていないと判定される。
【００４６】
このプログラムはさらに、ステップＳ１０００において、連番の設定を行なう操作がされたと判定された場合に実行され、タッチパネルディスプレイに連番設定ＵＩ画面を表示して利用者の操作を受付け、連番の設定処理を行なうステップＳ１０１０を含む。ステップＳ１０１０において、連番の設定が終了すると、制御はステップＳ１０００に戻る。
【００４７】
図４及び図５は、図３のステップＳ１０１０の詳細なフローである。図４を参照して、このルーチンは、図６に示す連番設定画面４００において、自動ボタン４１０又は手動ボタン４２０が操作（ＯＮ）されたか否かを判定し、判定結果に応じて制御の流れを分岐させるステップＳ２０００を含む。
【００４８】
図２に示すコピー条件設定画面３００において、利用者によって連番設定ボタン３５０が操作されると、連番設定画面４００に移行する。図６を参照して、連番設定画面４００は、「自動モード」及び「手動モード」を選択するためのボタンが配置されるモード選択領域と、用紙内における連番を付加する位置（以下「印字合成位置」と記す。）を設定する印字合成位置設定ボタンが配置される印字合成位置設定領域とを含む。
【００４９】
モード選択領域には、「自動モード」を選択するための上記した自動ボタン４１０、「手動モード」を選択するための上記した手動ボタン４２０、及び、いずれのモードも選択しないＯＦＦボタン４３０が配置されている。「自動モード」は、コピー印刷の開始を指示するスタートボタン（図示せず）が利用者によって操作される度に数値をカウントアップし、その数値（カウント値）をコピー画像に付加（合成）する数値（番号）として設定するモードである。「手動モード」は、利用者によって設定される固定値をコピー画像に付加（合成）する数値（番号）として設定するモードである。なお、「自動モード」では、利用者によってスタートボタンが操作される度（印刷開始の指示を受付ける度）に数値を１ずつ増加していく。
【００５０】
印字合成位置設定領域には、シンボル画像であるページ画像４４０、及び、印字合成位置を選択するための複数（本実施の形態では６つ）の印字合成位置設定ボタン４５０〜４６０が配置されている。印字合成位置設定ボタン４５０〜４５４は、ページ画像４４０に対して上側に横一列に配置されており、印字合成位置設定ボタン４５６〜４６０は、ページ画像４４０に対して下側に横一列に配置されている。
【００５１】
印字合成位置設定ボタン４５０は、印字合成位置をページ上部の左側に設定するためのボタンであり、印字合成位置設定ボタン４５２は、印字合成位置をページ上部の中央に設定するためのボタンであり、印字合成位置設定ボタン４５４は、印字合成位置をページ上部の右側に設定するためのボタンである。印字合成位置設定ボタン４５６は、印字合成位置をページ下部の左側に設定するためのボタンであり、印字合成位置設定ボタン４５８は、印字合成位置をページ下部の中央に設定するためのボタンであり、印字合成位置設定ボタン４６０は、印字合成位置をページ下部の右側に設定するためのボタンである。印字合成位置設定ボタン４５０〜４６０のいずれかが利用者によって操作されると、その操作されたボタンに対応する位置に印字合成位置が設定される。
【００５２】
さらに連番設定画面４００は操作を完了するための完了ボタン４７０を含む。
【００５３】
再び図４を参照して、このルーチンは、ステップＳ２０００において、自動ボタン４１０が操作（ＯＮ）されたと判定された場合に実行され、自動モードにおける連番の設定を行なうための画面である、図７に示す連番設定画面５００に移行するステップＳ２０１０と、ステップＳ２０００において、手動ボタン４２０がＯＮされたと判定された場合に実行され、手動モードにおける連番（番号）の設定を行なうための画面である、図８に示す連番設定画面５５０に移行するステップＳ２０２０とを含む。
【００５４】
図７を参照して、「自動モード」の連番設定画面５００は、図６に示す連番設定画面４００に配置される各ボタンに加えてさらに、連番カウンタ設定ボタン５１０、詳細設定ボタン５２０、印字レイアウトボタン５３０及び全解除ボタン５４０を含む。連番カウンタ設定ボタン５１０の上側には、連番の値を示す文字列（数字）が表示されている。全解除ボタン５４０が操作されると、連番に関する設定が全て解除される。
【００５５】
図８を参照して、「手動モード」の連番設定画面５５０は、連番設定画面５００の連番カウンタ設定ボタン５１０に代えて、利用者によって指定される数値を固定値として入力するための固定値入力ボタン５６０を含む。「手動モード」の連番設定画面５５０のその他の構成は、「自動モード」の連番設定画面５００の構成と同様である。
【００５６】
再び図４を参照して、このルーチンはさらに、ステップＳ２０００において、自動ボタン４１０及び手動ボタン４２０のいずれも操作（ＯＮ）されていないと判定された場合、並びに、ステップＳ２０１０及びステップＳ２０２０の後に実行され、印字合成位置設定ボタンが操作されたか否かを判定し、判定結果に応じて制御の流れを分岐させるステップＳ２０３０と、ステップＳ２０３０において、印字合成位置設定ボタンが操作されたと判定された場合に実行され、印字合成位置を設定するステップＳ２０４０とを含む。ステップＳ２０３０では、連番設定画面４００、５００及び５５０において、印字合成位置設定ボタン４５０〜４６０のいずれかが操作されたか否かを判定する。ステップＳ２０４０では、操作された印字合成位置設定ボタンに対応する位置を印字合成位置（連番を合成する位置）として設定する。なお、ステップＳ２０３０において、印字合成位置設定ボタンが操作されていないと判定された場合は、デフォルトの位置（例えばページ上部の左側の位置）を印字合成位置として設定する。
【００５７】
このルーチンはさらに、ステップＳ２０４０の後、及び、ステップＳ２０３０において、印字合成位置設定ボタンが操作されていないと判定された場合に実行され、印刷開始の指示をカウントする連番カウンタの設定を行なうための操作がされたか否かを判定し、判定結果に応じて制御の流れを分岐させるステップＳ２０５０と、ステップＳ２０５０において、連番カウンタの設定を行なうための操作がされたと判定された場合に実行され、連番カウンタの各種設定の処理を行なうステップＳ２０６０とを含む。
【００５８】
ステップＳ２０５０では、図７に示す連番設定画面５００において、連番カウンタ設定ボタン５１０が操作されたか否か、又は、図８に示す連番設定画面５５０において、固定値入力ボタン５６０が操作されたか否かを判定する。図７に示す連番カウンタ設定ボタン５１０が操作されると、図９に示す連番カウンタ設定画面６００に移行する。図８に示す固定値入力ボタン５６０が操作されると、図１１に示す連番カウンタ変更画面７００に移行する。
【００５９】
図９を参照して、連番カウンタ設定画面６００は、連番のカウント値を変更するためのボタンである連番カウンタ変更ボタン６０２、連番のカウント値をリセットするためのボタンである連番カウンタリセットボタン６０４、全解除ボタン５４０、及び、完了ボタン４７０を含む。
【００６０】
連番カウンタ設定画面６００はさらに、毎日特定の時刻に連番カウンタのリセットを行なう場合にチェックを入れるチェックボックス６０６、リセットする時刻を設定するための設定ボタン６１０〜６１６、並びに、設定した時刻（時分）が表示される「時」表示欄６２０及び「分」表示欄６２２を含む。「時」表示欄６２０及び「分」表示欄６２２は２４時間表示である。チェックボックス６０６にチェックが入れられると、設定ボタン６１０〜６１６がアクティブになる。設定ボタン６１０は、設定する「時」を示す数値を減少するためのボタンであり、設定ボタン６１２は、設定する「時」を示す数値を増加するためのボタンである。設定ボタン６１４は、設定する「分」を示す数値を減少するためのボタンであり、設定ボタン６１６は、設定する「分」を示す数値を増加するためのボタンである。
【００６１】
チェックボックス６０６にチェックが入れられ、リセットする時刻が設定されると、設定した時刻に連番カウンタをリセットする設定となる。連番カウンタがリセットされると、カウント値が初期状態（初期値）に戻る（初期化される）。
【００６２】
連番カウンタリセットボタン６０４が操作されると、図１０に示す連番カウンタリセット画面６５０に移行する。図１０を参照して、連番カウンタリセット画面６５０には、連番カウンタをリセットするか否かを問合せせる文字列（「連番カウンタをリセットします。よろしいですか？」）が表示されている。連番カウンタリセット画面６５０にはさらに、連番カウンタをリセットする場合に操作するＯＫボタン６６０、及び、連番カウンタをリセットしない場合に操作するキャンセルボタン６７０が配置されている。ＯＫボタン６６０が操作されると、連番カウンタがリセットされて、連番カウンタ設定画面６００に戻る。キャンセルボタン６７０が操作されると、連番カウンタがリセットされずに、連番カウンタ設定画面６００に戻る。連番カウンタがリセットされると、カウント値が初期値に戻る。
【００６３】
図８に示す固定値入力ボタン５６０、及び、図９に示す連番カウンタ変更ボタン６０２が操作されると、図１１に示す連番カウンタ変更画面７００に移行する。図１１を参照して、連番カウンタ変更画面７００は、連番カウンタのカウント値を変更するための変更ボタン７１０及び７１２、全解除ボタン５４０及び完了ボタン４７０を含む。連番カウンタ変更画面７００にはさらに、連番カウンタの数値（設定する数値）を示す数値表示欄７２０が表示されている。
【００６４】
モードが「手動モード」の場合（固定値入力ボタン５６０の操作によって移行した場合）、変更ボタン７１０及び７１２の操作によって数値が入力されると、入力した数値が固定値として設定される。すなわち、変更ボタン７１０及び７１２の操作によって、連番カウンタのカウント値が所定の固定値に変更される。
【００６５】
モードが「自動モード」の場合（連番カウンタ変更ボタン６０２の操作によって移行した場合）、変更ボタン７１０及び７１２の操作によって数値が入力されると、入力した数値が「自動モード」における初期値として設定される。なお、「手動モード」ですでに数値が設定された状態で「自動モード」に切替えられた場合は、すでに設定された値（「手動モード」で設定された固定値の値）が維持される。すなわち、この固定値の値が「自動モード」における初期値として設定される。
【００６６】
変更ボタン７１０は、数値を入力する際に、入力する数値を減少するボタンであり、変更ボタン７１２は、入力する数値を増加するボタンである。
【００６７】
図４及び図５を参照して、このルーチンはさらに、ステップＳ２０６０の後、及び、ステップＳ２０５０において、連番カウンタの設定を行なうための操作がされていないと判定された場合に実行され、図７及び図８に示す詳細設定ボタン５２０が操作（ＯＮ）されたか否かを判定し、判定結果に応じて制御の流れを分岐させるステップＳ２０７０と、ステップＳ２０７０において、詳細設定ボタン５２０が操作されたと判定された場合に実行され、図１２に示す詳細設定画面７５０に移行して、詳細設定の処理を行なうステップＳ２０８０とを含む。
【００６８】
図１２を参照して、詳細設定画面７５０は、タイトル変更ボタン７６０、印字ページ設定ボタン７７０、全解除ボタン５４０及び完了ボタン４７０を含む。タイトル変更ボタン７６０は、連番と並べて印刷する所望の文字列を入力するためのボタンである。印字ページ設定ボタン７７０は、連番を合成するページを指定するためのボタンである。
【００６９】
再び図５を参照して、このルーチンはさらに、ステップＳ２０８０の後、及び、ステップＳ２０７０において、詳細設定ボタン５２０が操作されていないと判定された場合に実行され、図７及び図８に示す印字レイアウトボタン５３０が操作（ＯＮ）されたか否かを判定し、判定結果に応じて制御の流れを分岐させるステップＳ２０９０と、ステップＳ２０９０において、印字レイアウトボタン５３０が操作されたと判定された場合に実行され、図１３に示す印字レイアウト表示画面８００をタッチパネルディスプレイ（操作表示部１４４）に表示するステップＳ２１００と、ステップＳ２１００の後、及び、ステップＳ２０９０において、印字レイアウトボタン５３０が操作されていないと判定された場合に実行され、完了ボタン４７０が操作（ＯＮ）されたか否かを判定し、判定結果に応じて制御の流れを分岐させるステップＳ２１１０とを含む。ステップＳ２１１０において、完了ボタン４７０が操作されていないと判定された場合は、制御は図４に示すステップＳ２０００に戻り、完了ボタン４７０が操作されたと判定された場合は、このルーチンは終了する。
【００７０】
図１３を参照して、印字レイアウト表示画面８００には、シンボル画像であるページ画像に、実際に合成される、連番及び文字列が付加された印刷イメージ８１０が表示される。印字レイアウト表示画面８００にはさらに、ＯＫボタン８２０が配置されている。ＯＫボタン８２０が操作されると、元の画面である連番設定画面５００又は連番設定画面５５０に戻る。
【００７１】
再び図３を参照して、このプログラムはさらに、ステップＳ１０００において、連番の設定を行なう操作がされていないと判定された場合に実行され、印刷（コピー）開始の指示であるスタートボタンが操作（ＯＮ）されたか否かを判定し、利用者によってスタートボタンが操作されるまで待機するステップＳ１０２０と、ステップＳ１０２０において、スタートボタンが操作されたと判定された場合に実行され、利用者によって手動で、又は、自動原稿送り装置１３４によって原稿載置台上に載置された原稿の画像を画像読取部１３２で読取るステップＳ１０３０と、ステップＳ１０３０の後に実行され、画像形成装置１００が「連番モード」に設定されているか否かを判定し、判定結果に応じて制御の流れを分岐させるステップＳ１０４０とを含む。
【００７２】
このプログラムはさらに、ステップＳ１０４０において、画像形成装置１００が「連番モード」に設定されていると判定された場合に実行され、連番値の設定を行なうステップＳ１０５０と、ステップＳ１０５０の後に実行され、設定した連番値を画像形成部１４２で読取った画像に合成するステップＳ１０６０と、ステップＳ１０６０の後、及び、ステップＳ１０４０において、画像形成装置１００が「連番モード」に設定されていないと判定された場合に実行され、画像読取部１３２で読取った原稿の画像を印刷するステップＳ１０７０と、ステップＳ１０７０の後に実行され、カウント値（カウントアップされた後の値）を保存して制御をステップＳ１０００に戻すステップＳ１０８０とを含む。
【００７３】
ステップＳ１０５０において、「自動モード」に設定されている場合は、ステップＳ１０１０で設定された数値、又は、ステップＳ１０８０で保存したカウント値からカウントアップし、その数値を連番値として設定する。一方、ステップＳ１０５０において、「手動モード」に設定されている場合は、ステップＳ２０１０で設定された数値（固定値）を連番値として設定する。
【００７４】
ステップＳ１０６０において、ステップＳ２０１０で合成する文字列が入力されている場合は、連番とともに当該文字列も画像に合成する。ステップＳ１０７０では、読取った画像に連番等が合成されている場合は、合成された画像を印刷し、連番等が合成されていない場合は、読取った画像を印刷する。
【００７５】
［動作］
図１〜図３、図６、図９及び図１１を参照して、以上のような構造及びフローチャートに基づく、本実施の形態に係る画像形成装置１００の動作について説明する。
【００７６】
図２に示すコピー条件設定画面３００において連番設定ボタン３５０が操作されると、画像形成装置１００は連番モードに設定される。連番モードでは、「自動モード」又は「手動モード」を選択できる。図６に示す連番設定画面４００において自動ボタン４１０が操作されると、「自動モード」に設定される。「自動モード」では、利用者によってコピー開始のスタートボタンが操作される度に数値をカウントアップし、カウントアップした後の数値（連番）を、画像読取部１３２（図１参照）で読取った画像データが示す画像に合成する。一方、図６に示す連番設定画面４００において手動ボタン４２０が操作されると、「手動モード」に設定される。「手動モード」では、利用者が設定した数値を連番の数値として、画像読取部１３２で読取った画像データの画像に合成する。
【００７７】
利用者が原稿のコピー印刷を行なうために、原稿載置台上に原稿をセットし、その後スタートボタンを操作すると（図３に示すステップＳ１０２０においてＹＥＳ）、画像形成装置１００は、セットした原稿の画像を読取る（ステップＳ１０３０）。連番モードに設定されている場合（ステップＳ１０４０においてＹＥＳ）、画像形成装置１００は、原稿の画像を読取ると、連番値の設定を行なう（ステップＳ１０５０）。「自動モード」に設定されている場合は、スタートボタンが操作されたことに応答して、数値をカウントアップする。カウント値がリセットされた後の最初のコピーの場合は、初期値からカウントアップし（初期値に対して１を足す）、そうでない場合は、前回のコピー時に保存されたカウント値（ステップＳ１０８０）からカウントアップする（保存されたカウント値に対して１を足す）。画像形成装置１００は、カウントアップして得られた数値を連番値として設定する（ステップＳ１０５０）。
【００７８】
画像形成装置１００は、設定した連番値を、読取った画像データの画像に合成する（ステップＳ１０６０）。連番の設定において、連番とともに付加する文字列が設定されている場合は、当該文字列も連番とともに画像に合成する。画像形成装置１００は、合成した画像データに基づいて印刷を行なう（ステップＳ１０７０）。コピー印刷が終了すると、画像に合成した連番の数値であるカウント値を保存する（ステップＳ１０８０）。
【００７９】
一方、連番モードに設定されていない場合（ステップＳ１０４０においてＮＯ）は、画像形成装置１００は、読取った画像データの画像に連番を合成することなく、読取った画像データに基づいてコピー印刷を行なう（ステップＳ１０７０）。
【００８０】
コピー画像（複写物）に連番を付加する場合、通常は「自動モード」が選択される。そうすることで、コピーを開始するためのスタートキーを操作する度に、数値がカウントアップして、コピー画像に自動で連番が付加される。
【００８１】
ここで、「連番モード」として「自動モード」が設定されていると、コピーミス等により再度同じ原稿をコピーする必要が生じた場合でも、スタートボタンを操作したことに応答して数値をカウントアップする。そのため、コピー画像に付加される番号は連番とはならない場合がある。
【００８２】
このような場合、「連番モード」において、「自動モード」から「手動モード」にモードを切替えることによって、画像に付加する番号が連番となるように、カウント値を設定し直すことができる。「手動モード」において、図１１に示す連番カウンタ変更画面７００で連番カウンタのカウント値を所望の数値に変更することにより、画像形成装置１００は当該数値を連番値として設定する（ステップＳ１０５０）。この数値は固定値であり、スタートボタンを操作しても数値がカウントアップされない。その後、「手動モード」から「自動モード」に切替えると、「手動モード」において設定した数値が「自動モード」における初期値として設定される。これにより、コピーミス等が生じた後であっても、コピー画像に付加される番号は連番となる。
【００８３】
図９に示す連番カウンタ設定画面６００において、チェックボックス６０６にチェックがされ、リセットを行なう時刻が設定されている場合、画像形成装置１００は、時計回路部１１８によってその時刻を検知し、設定した時刻になったタイミングでカウント値をリセットする。これにより、毎日特定の時刻にカウント値をリセットできる。
【００８４】
［本実施の形態の効果］
以上の説明から明らかなように、本実施の形態に係る画像形成装置１００を利用することにより、以下に述べる効果を奏する。
【００８５】
画像形成装置１００は、「連番モード」において「自動モード」が設定されていると、コピー印刷開始の指示を受付ける度に数値をカウントアップし、その数値（番号）をコピー印刷開始の指示がされた画像に合成する。利用者によってコピー印刷開始の指示が行なわれる度に、カウントアップされた番号がコピー画像の印刷物（複写物）に付加されるため、画像に付加される番号は連番となる。本画像形成装置１００では、画像に番号を付加する際に、付加する番号が連番となるように一々設定しなおす必要がない。そのため、コピーの際に、印刷物に連番を容易に付加できるので、印刷物に連番を付加する必要がある場合に、その作業時間を容易に短縮できる。
【００８６】
そのため、例えば、病院及び薬局等において、顧客受付け時に処方箋を顧客の控えのためにコピー（複写）する場合に、顧客に渡す処方箋のコピーには連番が付加される。処方箋のコピーに付加される連番は番号札の番号として機能する。これにより、コピー作業と番号札の発行とを同時に行なうことができるので、スピーディな顧客対応が可能となる。
【００８７】
さらに、例えば、複数の取引先からの請求書及び取引先への発注書等をファイルするためにこれらをコピー（複写）する場合、請求書及び発注書等のコピー（複写物）に連番を付加することによって文書管理が容易になる。上記構成によって、請求書及び発注書等のコピーに容易に連番を付加できるため、事務処理の作業効率を容易に向上できる。
【００８８】
カウントアップされた数値を画像に付加する場合、上記のように、コピーミス等の印刷ミスが生じることによって再度印刷をやり直すと、印刷物（画像）に付加する番号が連番とならない。そのような場合に、利用者の操作によって設定される固定値を印刷する画像に付与する数値として設定することによって、印刷物に付加する番号が連番となるように容易に修正できる。
【００８９】
さらに、画像形成装置１００は、コピー印刷開始の指示を受付ける度に数値をカウントアップし、当該数値を画像に付与する数値として設定するための「自動モード」と、利用者の操作によって設定される所定の固定値の入力を受付け、当該固定値を画像に付与する数値として設定するための「手動モード」とを切替えて数値を設定することが可能である。コピーミス等の印刷ミスによって再度印刷をやり直した場合に、付加される番号が連番となるように、「手動モード」に切替えて、利用者の操作によって設定される固定値を印刷する画像に付与する数値として設定する。「手動モード」から「自動モード」に切替えたときに、この数値が、カウントアップする際の初期値として設定される。「自動モード」では、この数値から引続きカウントアップされるため、より容易に、印刷物に連番を付加できる。
【００９０】
所望の文字列を、設定された数値とともに画像に合成することにより、印刷物には番号とともに文字列も付加される。これにより、文書等の管理及び整理が一層容易になる。さらに、例えば、印刷物に付加される番号が何を意味しているのかを示すこともできる。上記文字列としては、病院及び薬局等において、顧客受付け時に処方箋を顧客の控えのためにコピー（複写）する場合は、例えば「ご利用者様控え」等とすることができる。請求書及び発注書等の控えとしてコピーをする場合、取引先の業種ごとに文字列を変えたり、文字列に日付を入れたりすることができる。
【００９１】
（第１の実施の形態の変形例）
第１の実施の形態では、原稿のコピーの際に、読取った原稿画像に補助的画像としての連番を合成し、合成した画像を印刷する例について示した。しかし、連番の合成（付加）は、コピーの際に読取った画像のみならず、例えば、クライアントＰＣ等の情報処理装置から受信した画像データが示す画像に対しても合成できる。本変形例では、クライアントＰＣ等の情報処理装置から受信した画像データが示す画像に対して連番を付加する例について説明する。
【００９２】
［ハードウェア構成］
《クライアントＰＣ》
図１４を参照して、クライアントＰＣ２００は、バス２９０と、バス２９０に接続されたＣＰＵ２１０と、バス２９０に接続されたＲＯＭ２２０と、バス２９０に接続されたＲＡＭ２３０と、バス２９０に接続されたハードディスク（ＨＤＤ）２４０と、バス２９０に接続され、光ディスク２８２が装着可能で、光ディスク２８２に対する情報の書込及び光ディスク２８２からの情報の読出が可能な光ディスクドライブ２８０と、バス２９０に接続され、マウス２５２及びキーボード２５４との間の接続に関するインターフェイスを提供するための入力インターフェイス（以下「入力ＩＦ」と呼ぶ。）２５０と、バス２９０に接続され、ディスプレイ２６２との間の接続に関するインターフェイスを提供するためのディスプレイインターフェイス（以下「ディスプレイＩＦ」と呼ぶ。）２６０と、有線又は無線（本変形例においては有線）によりネットワーク１５０への接続を提供するネットワークインターフェイス（以下「ネットワークＩＦ」と呼ぶ。）２７０とを含む。なお、クライアントＰＣ２００は、磁気ディスクが装着可能で、磁気ディスクに対する情報の書込及び磁気ディスクからの情報の読出が可能な磁気ディスクドライブを、光ディスクドライブ２８０に代えて／加えて持つようにしてもよい。
【００９３】
クライアントＰＣ２００を動作させるためのコンピュータプログラムは、光ディスクドライブ２８０に挿入される光ディスク２８２に記憶され、さらにＨＤＤ２４０に転送される。プログラムはネットワーク１５０を通じてクライアントＰＣ２００に送信され、ＨＤＤ２４０に記憶されてもよい。プログラムは実行の際にＲＡＭ２３０にロードされる。光ディスク２８２から、又はネットワーク１５０を介して、直接にＲＡＭ２３０にプログラムをロードしてもよい。
【００９４】
これらのプログラムは、クライアントＰＣ２００を動作させる複数の命令を含む。基本的機能のいくつかはクライアントＰＣ２００上で動作するオペレーティングシステム（ＯＳ）若しくはサードパーティのプログラム、又はクライアントＰＣ２００にインストールされる各種ツールキットのモジュールにより提供される。したがって、このプログラムはこの変形例のシステムを実現するのに必要な機能全てを必ずしも含まなくてよい。このプログラムは、命令のうち、所望の結果が得られるように制御されたやり方で適切な機能又は「ツール（各々一定の機能を実現するプログラム群）」を呼出すことにより、上記したクライアントＰＣ２００として所定の処理を実行する命令のみを含んでいればよい。クライアントＰＣ２００の実体であるコンピュータの一般的動作は周知であるので、ここでは繰返して説明しない。
【００９５】
なお、本変形例に係る画像形成装置は、上記第１の実施の形態に係る画像形成装置１００と同様のハードウェア構成を有する。そのため、画像形成装置のハードウェア構成についての説明は繰返さない。
【００９６】
［ソフトウェア構成］
図１４を参照して、本変形例において、画像形成装置に対して画像データを送信する際に、クライアントＰＣ２００で実行されるコンピュータプログラムの制御構造について説明する。このプログラムは、画像データを送信するためのユーザの指示により起動される。
【００９７】
このプログラムは、利用者によって連番の設定を行なう操作がされたか否かを判定し、判定結果に応じて制御の流れを分岐させるステップＳ３０００と、ステップＳ３０００において、連番の設定を行なう操作がされたと判定された場合に実行され、ディスプレイ２６２に連番設定ＵＩ画面を表示して利用者の操作を受付け、連番の設定処理を行なうステップＳ３０１０とを含む。ステップＳ３０１０では、図２に示したコピー条件設定画面３００と同様の画面が、クライアントＰＣ２００のディスプレイ２６２に表示され、利用者が、連番の設定を行なうための操作を行なったか否かが判定される。
【００９８】
ステップＳ３０１０における各処理は、図４及び図５に示すルーチンによって実行される各処理と同様である。したがって、ステップＳ３０１０における各処理の詳細な説明は繰返さない。なお、ステップＳ３０１０では、図６〜図１２に示した各画面と同様の画面が、クライアントＰＣ２００のディスプレイ２６２に表示される。図１１に示す連番カウンタ変更画面７００と同様の画面が表示され、当該画面において連番カウンタのカウント値が設定される場合、連番カウンタの数値は画像形成装置自体に設定される。ステップＳ３０１０において、連番の設定が終了すると、制御はステップＳ３０００に戻る。
【００９９】
このプログラムはさらに、ステップＳ３０００において、連番の設定を行なう操作がされていないと判定された場合に実行され、印刷開始の指示であるスタートボタンが操作（ＯＮ）されたか否かを判定し、利用者によってスタートボタンが操作されるまで待機するステップＳ３０２０と、ステップＳ３０２０において、スタートボタンが操作されたと判定された場合に実行され、「連番モード」に設定されているか否かを判定し、判定結果に応じて制御の流れを分岐させるステップＳ３０３０と、ステップＳ３０３０において、「連番モード」に設定されていると判定された場合に実行され、ステップＳ３０１０で設定した連番設定に関する情報を画像形成装置に送信するステップＳ３０４０と、ステップＳ３０４０の後、及び、ステップＳ３０３０において、「連番モード」に設定されていないと判定された場合に実行され、印字データ（画像データ）を画像形成装置に送信して制御をステップＳ３０００に戻すステップＳ３０５０とを含む。
【０１００】
図１５を参照して、本変形例において、クライアントＰＣ２００から受信した画像データに対して印刷処理を行なうために、画像形成装置で実行されるコンピュータプログラムの制御構造について説明する。このプログラムは、画像形成装置の電源がオンにされることによって起動される。
【０１０１】
このプログラムは、クライアントＰＣ２００から印刷ジョブを受信したか否かを判定し、印刷ジョブを受信するまで待機するステップＳ４０００と、ステップＳ４０００において、印刷ジョブを受信したと判定された場合に実行され、連番設定がされているか否かを判定し、判定結果に応じて制御の流れを分岐させるステップＳ４０１０と、ステップＳ４０１０において、連番設定がされていると判定された場合に実行され、連番値のカウント設定を行なうステップＳ４０２０とを含む。ステップＳ４０２０では、画像データを受信する度に数値をカウントアップし、その数値を連番値として設定する。なお、画像形成装置に複数のクライアントＰＣが接続されている場合、複数のクライアントＰＣから画像データが送信される度に数値をカウントアップする。
【０１０２】
このプログラムはさらに、ステップＳ４０２０の後に実行され、受信した画像データが示す画像に、設定した連番値を合成するステップＳ４０３０と、ステップＳ４０３０の後、及び、ステップＳ４０１０において、連番設定がされていないと判定された場合に実行され、受信した画像データに基づいて画像を印刷するステップＳ４０４０と、ステップＳ４０４０の後に実行され、カウント値（カウントアップされた後の値）を保存して制御をステップＳ４０００に戻すステップＳ４０５０とを含む。
【０１０３】
ステップＳ４０３０において、合成する文字列が入力されている場合は、連番とともに当該文字列も画像に合成する。
【０１０４】
なお、上記ステップＳ４０２０において、「自動モード」に設定されている場合は、図１５に示すステップＳ３０１０で設定された数値、又は、ステップＳ４０５０で保存したカウント値からカウントアップし、その数値を連番値として設定する。一方、ステップＳ４０２０において、「手動モード」に設定されている場合は、図１５に示すステップＳ３０１０で設定された数値（固定値）を連番値として設定する。
【０１０５】
［動作］
図１６を参照して、以上のような構造及びフローチャートに基づく、本変形例に係る画像形成装置の動作について説明する。以下では、クライアントＰＣ２００において、予め連番の設定が行なわれているものとする。
【０１０６】
画像形成装置は、クライアントＰＣ２００からの印刷ジョブを受信すると（図１６に示すステップＳ４０００においてＹＥＳ）、連番の設定がされているか否かを判定する（ステップＳ４０１０）。クライアントＰＣ２００から連番設定に関する情報が送信されると、印刷ジョブに連番設定に関する情報が含まれるため、画像形成装置は、受信した印刷ジョブに基づいて、連番設定がされているか否かを判定する。ここでは、クライアントＰＣ２００において予め連番の設定が行なわれていると仮定しているため、連番の設定がされていると判定される（ステップＳ４０１０においてＹＥＳ）。
【０１０７】
連番設定がされている場合、画像形成装置は、クライアントＰＣ２００において設定された内容に基づいて、連番値のカウント設定を行なう（ステップＳ４０２０）。具体的には、印刷ジョブ（画像データ）を受信する度に数値をカウントアップし、その数値を連番値として設定する。連番値が設定されると、画像形成装置は、設定した連番値を、受信した画像データが示す画像に合成する（ステップＳ４０３０）。この際、連番とともに合成する文字列が設定されている場合は、当該文字列も連番とともに合成する。
【０１０８】
画像形成装置は、合成した画像データに基づいて印刷を行なう（ステップＳ４０４０）。印刷が終了すると、画像に合成した連番の数値であるカウント値を保存する（ステップＳ４０５０）。
【０１０９】
［本変形例の効果］
以上の説明から明らかなように、本変形例によれば、クライアントＰＣ２００からの印刷開始の指示を受付けた場合でも、当該印刷開始の指示を受付ける度に数値をカウントアップし、その数値を画像データによって示される画像に付加できる。例えば、クライアントＰＣにスキャナでスキャンした画像データが保存されており、その画像データを印刷する場合に、画像データが示す画像に連番を付加して印刷できる。
【０１１０】
（第２の実施の形態）
本実施の形態に係る画像形成装置は、上記第１の実施の形態に係る画像形成装置１００において、カウントアップする数値を複数設定することが可能に構成されている。具体的には、本実施の形態では、第１の数値及び第２の数値の２つの数値をカウントアップする数値として設定可能とされている。
【０１１１】
これら２つの数値のうち、いずれをカウントアップする数値とするかは、コピー印刷時の原稿画像の読取り時に自動原稿送り装置１３４を使用したか否かによって判定される。すなわち、自動原稿送り装置１３４の使用の有無によって、２つの数値のいずれかに、カウントアップする対象が切替えられる。自動原稿送り装置１３４を用いて原稿のコピーを行なった場合、例えば第１の数値が選択され、当該第１の数値がカウントアップされる。一方、自動原稿送り装置１３４を用いずに手動で原稿載置台上に原稿を載置して原稿のコピーを行なった場合、例えば第２の数値が選択され、当該第２の数値がカウントアップされる。
【０１１２】
本実施の形態では、連番の設定を行なうためのユーザインターフェイス（ＵＩ）画面（連番設定ＵＩ画面）において、第１の数値及び第２の数値の各初期値を設定することが可能に構成されている。第１の数値及び第２の数値の各初期値は異なる初期値を設定することが可能である。
【０１１３】
画像形成装置は、コピー開始の指示を受付け、連番値の設定を行なう際に、自動原稿送り装置１３４の使用の有無を検出する。画像形成装置は、検出結果に応じて、第１の数値又は第２の数値を選択し、選択した数値をカウントアップする。カウントアップされた数値は、上記第１の実施の形態と同様、読取った画像に合成される。画像を合成すると、画像形成装置は、その合成された画像を用紙に印刷する。
【０１１４】
このように、本実施の形態では、自動原稿送り装置１３４を用いる場合と用いない場合とで、異なる連番を印刷物に付加できる。
【０１１５】
（第３の実施の形態）
本実施の形態に係る画像形成装置は、上記第２の実施の形態と同様、カウントアップする数値を複数設定することが可能に構成されている。ただし、本実施の形態では、画像読取部１３２で読取る原稿の用紙サイズに応じて、カウントアップする対象（数値）を切替える点において、自動原稿送り装置１３４の使用の有無に応じてカウントアップする対象（数値）を切替える、上記第２の実施の形態とは異なる。
【０１１６】
本実施の形態では、連番の設定を行なうための連番設定ＵＩ画面において、読取る原稿用紙の用紙サイズに対応した各数値の初期値を設定することが可能に構成されている。これら各初期値は、異なる初期値を設定することが可能である。
【０１１７】
スキャナ装置１３０は、画像読取部１３２で読取る原稿の用紙サイズを検出する機能を有している。本画像形成装置では、スキャナ装置１３０で検出された用紙サイズに関する情報に基づいて、複数の数値のうちのいずれの数値をカウントアップする数値とするかを決定する。
【０１１８】
画像形成装置は、コピー開始の指示を受付け、連番値の設定を行なう際に、原稿の用紙サイズを検出する。例えば、用紙サイズに応じて、第１の数値及び第２の数値を設定した場合、画像形成装置は、検出した用紙サイズに基づいて、第１の数値又は第２の数値を選択し、選択した数値をカウントアップする。カウントアップされた数値は、上記第１の実施の形態と同様、読取った画像に合成される。画像を合成すると、画像形成装置は、その合成された画像を用紙に印刷する。
【０１１９】
複数の取引先がある場合、取引先によって例えば請求書（原稿）のサイズが異なる場合がある。そのような場合、請求書及び発注書等のサイズを検出し、その検出結果に応じて、カウントアップする数値を異なる数値に切替えることができる。これにより、容易に、取引先等に応じた連番をコピー（複写物）に付加できる。
【０１２０】
［変形例］
上記実施の形態では、画像形成装置の一例であるＭＦＰに本発明を適用した例について示したが、本発明はそのような実施の形態には限定されない。例えば、コピー機能のみを有する複写機等であってもよい。
【０１２１】
上記第３の実施の形態では、検出した原稿の用紙サイズに応じて、カウントアップする数値を切替える例について示したが、本発明はそのような実施の形態には限定されない。例えば、原稿の用紙種類（普通紙、色付紙等）に応じて、カウントアップする数値を切替えるようにしてもよい。さらに、例えば、印刷する用紙の用紙種類（用紙サイズ、色付紙、厚紙、光沢紙、封筒等）に応じて、カウントアップする数値を切替えるようにしてもよい。さらに、カウントアップする数値のみならず、数値とともに画像に付加される文字列についても同時に切替えるようにしてもよい。このように構成することにより、原稿の用紙種類（用紙サイズ等）、及び、印刷する用紙種類（サイズ、普通紙／色付紙等）に応じて、整理のために異なるカウント値及び文字列を付加することができる。例えば、取引先の業種ごとに請求書のサイズが異なる場合には、検出した原稿サイズ等に基づいて、異なる数値をカウントアップすることができる。加えて、コピー画像に付加する文字列を容易に他の文字列に切替えることができる。例えば、業種によって「業種Ａ」又は「業種Ｂ」の文字列が付加される場合に、「業種Ａ」と「業種Ｂ」とを容易に切替えることができる。
【０１２２】
用紙種類については、利用者は手動で画像形成装置に用紙種類の情報を入力できる。画像形成装置は用紙種類の入力を受付けることによって用紙種類を検出する。そのため、例えば、業種ごとに用紙の色を切替えて控えをとる場合には、手動により用紙種類を切替えたことに連動して、カウントアップする数値、及び、文字列を切替えるようにすることができる。これにより、容易に、業種等に応じて、異なる数値をカウントアップすることができるとともに、コピー画像に付加する文字列を容易に他の文字列に切替えることができる。
【０１２３】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１２４】
１００                画像形成装置
１１０                主制御部
１１２                システム制御部
１１４                システムメモリ
１１６                パラメータメモリ
１１８                時計回路部
１２０                給紙部
１２２                検出部
１３０                スキャナ装置
１３２                画像読取部
１３４                自動原稿送り装置
１４０                画像処理部
１４２                画像形成部
１４４                操作表示部
１４６                ネットワークＩ／Ｆ
１４８                ＢＵＳライン
２００                クライアントＰＣ
【図１】
2013225022.tif 000003
【図２】
2013225022.tif 000004
【図３】
2013225022.tif 000005
【図４】
2013225022.tif 000006
【図５】
2013225022.tif 000007
【図６】
2013225022.tif 000008
【図７】
2013225022.tif 000009
【図８】
2013225022.tif 000010
【図９】
2013225022.tif 000011
【図１０】
2013225022.tif 000012
【図１１】
2013225022.tif 000013
【図１２】
2013225022.tif 000014
【図１３】
2013225022.tif 000015
【図１４】
2013225022.tif 000016
【図１５】
2013225022.tif 000017
【図１６】
2013225022.tif 000018